(57)【要約】 【課題】  複数の視方向に対する個別の画像が所定の並びで入力されると前記個別の画像を視方向により夫々判別可能な画面として同一画面に表示する液晶表示装置へタッチキーなどの画像を重畳させる。【解決手段】  複数の視方向に対する個別の画像が所定の並びで入力されると前記個別の画像を視方向により夫々判別可能な画面として同一画面に表示する表示部１８へ、前記個別の入力画像を前記所定の並びに合成して出力するＯＳＤ付２画面合成部１７であって、ＯＳＤイネーブル信号が入力されるとそのときに入力されたＯＳＤ画像を前記視方向別の画面に重畳する。【選択図】      図１
2008181035.tif 000002
【特許請求の範囲】
【請求項１】
複数の視方向に対する個別の画像が所定の並びで入力されると前記個別の画像を視方向
により夫々判別可能な画面として同一画面に表示する液晶表示装置へ、前記個別の入力画
像を前記所定の並びに合成して出力するマルチ画像合成装置であって、
ＯＳＤイネーブル信号が入力されるとそのときに入力されたＯＳＤ画像を前記視方向別
の画面に重畳することを特徴とするマルチ画像合成装置。
【請求項２】
ＯＳＤ画像を重畳する前記画面の選択は入力される制御信号に基づいて選択的に重畳す
ることを特徴とする請求項１に記載のマルチ画像合成装置。
【請求項３】
前記液晶表示装置はＮ（Ｎは正整数）画素の液晶パネルを有し視方向を選択表示するも
のであって、
複数の入力ラインより入力された夫々Ｎ画素の複数の画像データより一部の画素データ
を抽出してＮ画素の出力データを合成することを特徴とする請求項１に記載のマルチ画像
合成装置。
【請求項４】
前記液晶表示装置はＮ（Ｎは正整数）画素の液晶パネルを有し視方向を選択表示するも
のであって、
１つの入力ラインより入力されたＮ画素の複数の視方向に対する混合画像データを前記
液晶表示装置の所定の並びに並び替えることを特徴とする請求項１に記載のマルチ画像合
成装置。
【請求項５】
前記Ｎ画素の混合画像データは前記液晶パネルのマトリクスの縦方向あるいは横方向に
視方向に分割されたデータであることを特徴とする請求項４に記載のマルチ画像合成装置
。
【請求項６】
前記液晶表示装置はＮ（Ｎは正整数）画素の液晶パネルを有し視方向を選択表示するも
のであって、
複数の入力ラインより入力された夫々Ｎ画素の複数の画像データより一部の画素データ
を抽出してＮ画素の出力データを合成する第１の合成処理を行うか、
１つの入力ラインより入力されたＮ画素の複数の視方向に対する混合画像データを前記
液晶表示装置の所定の並びに並び替える第２の合成処理を行うか、を入力される制御信号
に基づいて選択することを特徴とする請求項１に記載のマルチ画像合成装置。
【請求項７】
前記個別の画像に重畳する前記ＯＳＤ画像を前記ＯＳＤイネーブル信号により抽出する
ことを特徴とする請求項１に記載のマルチ画像合成装置。
【請求項８】
前記視方向に対する個別の画像が入力される入力ラインとは別個にＯＳＤ画像が入力さ
れる入力ラインを備えたことを特徴とする請求項１に記載のマルチ画像合成装置。
【請求項９】
前記個別の画像に重畳する前記ＯＳＤ画像を前記ＯＳＤイネーブル信号により抽出して
前記視方向別の画面に前記ＯＳＤ画像を重畳するか、
前記視方向に対する個別の画像が入力される入力ラインとは別個にＯＳＤ画像が入力さ
れる入力ラインを備え、このＯＳＤ画像を前記視方向別の画面に重畳するか、を入力され
る制御信号に基づいて選択することを特徴とする請求項１に記載のマルチ画像合成装置。
【請求項１０】
入力された１つの前記ＯＳＤ画像を前記視方向別の複数の画面に重畳することを特徴と
する請求項１に記載のマルチ画像合成装置。
【請求項１１】
１つの入力ラインより入力された複数の前記ＯＳＤ画像を前記視方向別の夫々異なる画
面に重畳することを特徴とする請求項１に記載のマルチ画像合成装置。
【請求項１２】
入力された前記個別の画像を入力された制御信号に基づいて前記視方向別のどの画面に
表示させるかを選択することを特徴とする請求項１に記載のマルチ画像合成装置。
【請求項１３】
前記個別の画像の表示画面を選択する制御信号に基づいて、前記ＯＳＤ信号の表示画面
も選択することを特徴とする請求項１２に記載のマルチ画像合成装置。
【請求項１４】
タッチパネルを有し、前記ＯＳＤ画像としてタッチキーの画像を記憶し、請求項１〜１
３のいずれか１つに記載のマルチ画像合成装置を用いて前記タッチキーのＯＳＤ画像を前
記視方向別の画面に重畳することを特徴とする液晶表示装置。
【請求項１５】
前記液晶表示装置と、車両運転のガイド画像を出力するナビゲーション部と、運転に無
関係な画像を出力するテレビビジョン受信部あるいはビデオ再生装置とを有し、前記液晶
表示装置はタッチパネルを有し、前記ＯＳＤ画像としてタッチキーの画像を記憶し、請求
項１〜１３のいずれか１つに記載のマルチ画像合成装置を用いて前記液晶表示装置に運転
者の方向と助手席の方向に異なる画像を表示することを特徴とするナビゲーション装置。
【発明の詳細な説明】
【技術分野】
【０００１】
本発明は、複数の画像を視方向により夫々判別可能な画面として同一画面に表示する液
晶表示装置へ、複数の入力画像を所定の並びに合成して出力するマルチ画像合成装置、こ
れを用いた液晶表示装置およびこれを用いたナビゲーション装置に関する。
【背景技術】
【０００２】
液晶表示装置は軽量、薄型、低消費電力という特徴があり、多くの電子機器に使用され
ている。ナビゲーション装置にも液晶表示装置が使用されるが、ナビゲーション装置はテ
レビジョン受信部
やDVDビデオ再生部など運転中の運転者には交通安全上好ましくない画像を表示すること
ができる。
【０００３】
そこで、同一表示画面に複数の画像を表示させ、視方向により異なる画像を認識できる
ようにする技術が開発され、右方向の運転者からはナビゲーションの画像が見え、左方向
の助手席からはテレビジョン受信部やDVDビデオ再生部の画像が見えるようになった（特
許文献１，２参照）。視方向により異なる画像を認識できるようにする技術としては、液
晶シャッターの遮光パターンによるもの（特許文献１参照）、レンチキュラーレンズによ
るものや信号線に対向する位置の両側にストライプ上の突起パターンを設けるものがある
（特許文献２参照）。視方向により異なる画像の数は2画面以上可能であり、後部座席の
中央方向から左右方向とは異なる画像を見ることも可能である（特許文献１参照）。また
、視方向により異なる画像を認識できるようにする技術はナビゲーション装置のみでなく
、他の電子機器に適用することができる。例えば、特許文献３の図６に液晶表示装置を挟
んで互いに向き合ったユーザーがどちらも逆様にならない文字を見ることが記されている
。
【特許文献１】特開２００６−１８４８５９公報
【特許文献２】特開２００６−２７６５９１公報
【特許文献３】特開２００５−９１５６１公報
【特許文献４】特開２０００−３０５５４３公報
【発明の開示】
【発明が解決しようとする課題】
【０００４】
ところが、液晶パネルをタッチパネルにして、画面にタッチキーを表示させる要求があ
った。表示させたいタッチキーはナビゲーションの画像、テレビジョンの画像、DVDビデ
オ再生装置などのホスト画像に含まれない場合があり、このときは別途タッチキーの画像
をホスト画像に重畳させなければならない。
【０００５】
ホスト画像に他の画像を重畳させる方法としては特許文献４に、画面分割によるマルチ
画面にカーソル合成イネーブル信号をカーソル合成部に出力してOSD画像であるカーソル
を表示することが開示されている。しかしながら、この技術は視方向による複数の画面で
はなく、また、カーソル操作に応じた位置にＯＳＤ画像を表示するものであり、視方向に
より異なる画面にOSD画像を重畳させる装置に適用することは困難であった。
【０００６】
更に、ＯＳＤ画像の重畳処理を汎用性あるＡＳＩＣ（Application Specific Integrate
d Circuit）で開発するように要望され、種々のホスト入力や種々のＯＳＤ入出力に対応
する必要があった。
【課題を解決するための手段】
【０００７】
上記課題を解決するために、本発明のマルチ画像合成装置は、複数の視方向に対する個
別の画像が所定の並びで入力されると前記個別の画像を視方向により夫々判別可能な画面
として同一画面に表示する液晶表示装置へ、前記個別の入力画像を前記所定の並びに合成
して出力するマルチ画像合成装置であって、ＯＳＤイネーブル信号が入力されるとそのと
きに入力されたＯＳＤ画像を前記視方向別の画面に重畳する。これにより、視方向別によ
り異なる画像を表示する液晶表示装置において、ＯＳＤ画像を視方向別の画面に重畳する
ことができる。
【０００８】
また、ＯＳＤ画像を重畳する前記画面の選択は入力される制御信号に基づいて選択的に
重畳する。これにより、ＯＳＤ画像を重畳する画面を選択することができる。また、ＯＳ
Ｄ画像を重畳する画面が異なる液晶表示装置に対して汎用性が向上する。
【０００９】
また、前記液晶表示装置はＮ（Ｎは正整数）画素の液晶パネルを有し視方向を選択表示
するものであって、複数の入力ラインより入力された夫々Ｎ画素の複数の画像データより
一部の画素データを抽出してＮ画素の出力データを合成する。これにより、通常の表示画
像を本発明のマルチ画像合成装置に入力すればよく、特別な画像処理をあらかじめ行う必
要がない。
【００１０】
また、前記液晶表示装置はＮ（Ｎは正整数）画素の液晶パネルを有し視方向を選択表示
するものであって、１つの入力ラインより入力されたＮ画素の複数の視方向に対する混合
画像データを前記液晶表示装置の所定の並びに並び替える。これにより、入力ラインを少
なくすることができ、マルチ画像合成装置（ＩＣ）を小型にすることができる。また、Ｄ
ＶＤなどの記憶媒体に書き込まれた混合画像を使用する場合は少ない容量のデータとなり
、記憶媒体の容量を有効に活用することができる。
【００１１】
また、前記液晶表示装置はＮ（Ｎは正整数）画素の液晶パネルを有し視方向を選択表示
するものであって、複数の入力ラインより入力された夫々Ｎ画素の複数の画像データより
一部の画素データを抽出してＮ画素の出力データを合成する第１の合成処理を行うか、１
つの入力ラインより入力されたＮ画素の複数の視方向に対する混合画像データを前記液晶
表示装置の所定の並びに並び替える第２の合成処理を行うか、を入力される制御信号に基
づいて選択する。これにより、ホスト画像の仕様が異なる液晶表示装置に対して汎用性が
向上する。
【００１２】
また、前記個別の画像に重畳する前記ＯＳＤ画像を前記ＯＳＤイネーブル信号により抽
出する。これにより、個別画像中の画像をＯＳＤ画像として他の個別画像に重畳すること
ができる。
【００１３】
また、前記視方向に対する個別の画像が入力される入力ラインとは別個にＯＳＤ画像が
入力される入力ラインを備える。これにより、個別画像にＯＳＤ画像がなくてもＯＳＤ画
像を重畳することができる。
【００１４】
また、前記個別の画像に重畳する前記ＯＳＤ画像を前記ＯＳＤイネーブル信号により抽
出して前記視方向別の画面に前記ＯＳＤ画像を重畳するか、前記視方向に対する個別の画
像が入力される入力ラインとは別個にＯＳＤ画像が入力される入力ラインを備え、このＯ
ＳＤ画像を前記視方向別の画面に重畳するか、を入力される制御信号に基づいて選択する
。これにより、ＯＳＤ画像の入力形態が異なる液晶表示装置に対して汎用性が向上する。
【００１５】
また、入力された１つの前記ＯＳＤ画像を前記視方向別の複数の画面に重畳する。これ
により、複数の個別画像に共通となるＯＳＤ画像を重畳することができる。
【００１６】
また、１つの入力ラインより入力された複数の前記ＯＳＤ画像を前記視方向別の夫々異
なる画面に重畳する。これにより、複数のＯＳＤ画像を夫々異なる画面に重畳することが
できる。
【００１７】
また、入力された前記個別の画像を入力された制御信号に基づいて前記視方向別のどの
画面に表示させるかを選択する。これにより、個別の画像の画面切り替えを操作すること
が可能となる。
【００１８】
また、前記個別の画像の表示画面を選択する制御信号に基づいて、前記ＯＳＤ信号の表
示画面も選択する。これにより、表示画面の切り替えが行われたとき、自動的にＯＳＤの
切り替えも行われるため、画面切り替えの制御信号は１つのみでよい。
【００１９】
タッチパネルを有し、前記ＯＳＤ画像としてタッチキーの画像を記憶し、前記記載のマ
ルチ画像合成装置を用いて前記タッチキーのＯＳＤ画像を前記視方向別の画面に重畳する
。これにより、前述の効果を有するマルチ画像合成装置をタッチパネルの液晶表示装置の
タッチキーに適用することができる。
【００２０】
前記液晶表示装置と、車両運転のガイド画像を出力するナビゲーション部と、運転に無
関係な画像を出力するテレビビジョン受信部あるいはビデオ再生装置とを有し、前記液晶
表示装置はタッチパネルを有し、前記ＯＳＤ画像としてタッチキーの画像を記憶し、前記
記載のマルチ画像合成装置を用いて前記液晶表示装置に運転者の方向と助手席の方向に異
なる画像を表示し、この画像にＯＳＤ画像としてタッチキーを重畳する。これにより、前
述の効果を有するマルチ画像合成装置をナビゲーション装置に適用することができる。
【発明を実施するための最良の形態】
【００２１】
以下、図面を参照して本発明の最良の実施形態を説明する。但し、以下に示す実施形態
は、本発明の技術思想を具体化するためのナビゲーション装置を例示するものであって、
本発明をこのナビゲーション装置に特定することを意図するものではなく、特許請求の範
囲に含まれるその他の実施形態のものも等しく適応し得るものである。
【実施例】
【００２２】
図１は本発明のＯＳＤ付２画面合成部（マルチ画像合成装置）１７を使用するナビゲー
ション装置１を示すブロック図である。ナビゲーション装置１は画像を出力するものとし
て、ナビゲーション部１１、ＴＶ(テレビジョン)部１２、ＤＶＤビデオ再生部１３、ＯＳ
Ｄ専用画像部１４を有する。
【００２３】
ナビゲーション部１１はＨＤＤ(図示せず)より地図情報を読み出して、ＧＰＳ受信部（
図示せず）より受信した位置情報や登録された経路を重畳した地図画像を出力する。また
、進路変更すべき交差点が近づくと交差点の拡大図を出力する。
【００２４】
ＴＶ１２部はアンテナ（図示せず）より受信した放映画像を出力する。ＤＶＤビデオ再
生部１３はビデオなどの画像が書き込まれたＤＶＤより画像を読み出して出力する。ＯＳ
Ｄ専用画像部１４はＯＳＤ画像として図２に示す如きタッチキーの画像を記憶しており、
これを出力する。
【００２５】
ナビゲーション部１１、ＴＶ(テレビジョン)部１２、ＤＶＤビデオ再生部１３、ＯＳＤ
専用画像部１４の出力信号を夫々Ｓ１，Ｓ２，Ｓ３，Ｓ４とする。信号Ｓ１，Ｓ２，Ｓ３
は夫々同期信号とＲＧＢデータを有し、ＯＳＤ画像を含んでいる場合はＯＳＤイネーブル
信号も有する。信号Ｓ４は同期信号とＲＧＢデータとＯＳＤイネーブル信号を有している
。
【００２６】
切替回路１５は後述の制御回路２０の操作信号に基づき、ＴＶ部１２の出力信号Ｓ２か
ＤＶＤビデオ再生部１３出力信号Ｓ３のいずれか一方を択一的に選択して出力する（信号
Ｓ５）。
【００２７】
画像編成部１６は制御回路２０の操作信号に基づき、ナビゲーション部１１からの出力
信号Ｓ１、切替回路１５からの出力信号Ｓ５とＯＳＤ専用画像部１４の出力信号Ｓ４から
ＯＳＤ付２画面合成部１７の被制御状態に適合した信号を編成してＯＳＤ付２画面合成部
１７のホスト１ラインとホスト２ラインとＯＳＤラインに出力する。ＯＳＤ付２画面合成
部１７の被制御状態とは、制御回路２０がＯＳＤ付２画面合成部１７の制御ラインに入力
する信号による動作状態を示す。
【００２８】
ＯＳＤ付２画面合成部１７はＡＳＩＣであり、２画面合成処理部１７１とＯＳＤ処理部
１７２を有する。２画面合成処理部１７１は制御ラインに入力される信号に基づいて、ホ
スト１ラインとホスト２ラインに入力される２つの画像データを同期を取りながら表示部
１８の画素配列に適合する１画面の画像データに並べ替える。ＯＳＤ処理部１７２は制御
ラインに入力される信号に基づいて、ホスト１ライン、ホスト２ライン、ＯＳＤラインの
いずれかから入力されるＯＳＤ画像データをＯＳＤイネーブル信号が“Ｈ”（ＨＩＧＨ）
になったときに視方向別の画面に重畳する。重層する画面は制御ラインに入力される信号
に基づいて選択される。
【００２９】
表示部１８は液晶シャッターの遮光パターンによって運転席の方向となる右方向と助手
席となる左方向により異なる画像を認識できるようになっている。また、表示部１８はタ
ッチパネルであり、押圧された位置を示すタッチ信号を制御回路２０に出力する。制御回
路２０は表示部１８から入力されるタッチ信号とキー入力部１９から入力されるキー信号
より操作の内容を示した操作信号をナビゲーション部１１、ＴＶ(テレビジョン)部１２、
ＤＶＤビデオ再生部１３、ＯＳＤ専用画像部１４、切替回路１５、画像編成部１６、ＯＳ
Ｄ付２画面合成部１７に出力する。
【００３０】
次にＯＳＤ付２画面合成部１７の動作を詳細に説明する。まず、ＯＳＤを含まないホス
ト画像について説明する。
【００３１】
図３は表示部１８のサブ画素（ここではＲＧＢ夫々をサブ画素といい、３つのＲＧＢを
画素という。）の配列を示す図である。図に示す如く、８００（縦）×４８０（横）画素
になっている。
【００３２】
図４はホスト１、ホスト２に入力される画像データの形態を示す図である。ここで、Ｍ
１はこの形態を指示する制御信号である。ホスト１、ホスト２に入力される画像データの
形態は３種類あり、これに対応して制御信号Ｍ１はＬＬ，ＨＬ，ＬＨを示す２本のライン
から成る。ここで、“Ｌ”は電圧のＬＯＷを示し、“Ｈ”は電圧のＨＩＧＨを示す。Ｍ１
＝ＬＬはホスト１に８００×４８０画素のＬＥＦＴのホスト画像とホスト２に８００×４
８０画素のＲＩＧＨＴのホスト画像が入力される状態であり、Ｍ１＝ＨＬはホスト１のみ
に縦割りで４００×４８０画素のＬＥＦＴのホスト画像と４００×４８０画素のＲＩＧＨ
Ｔのホスト画像が入力される状態であり、Ｍ１＝ＬＨはホスト１のみに横割りで８００×
２４０画素のＬＥＦＴのホスト画像と８００×２４０画素のＲＩＧＨＴのホスト画像が入
力される状態を示す。ここで、ＬＥＦＴのホスト画像とは通常は左方向から認識されるホ
スト画像であり、通常は助手席から見るＴＶ部１２やＤＶＤビデオ再生部１３の画像を示
す。ＲＩＧＨＴのホスト画像とは通常は右方向から認識されるホスト画像であり、通常は
運転席から見るナビゲーション部の画像を示す。ここで、縦割りとは縦方向に画像データ
を分割することであり、横の１画素〜４００画素がＬＥＦＴのホスト画像であり、横の４
０１画素〜８００画素までがＲＩＧＨＴのホスト画像である。横割りとは横方向に画像デ
ータを分割することであり、縦の１画素〜２４０画素がＲＩＧＨＴのホスト画像であり、
縦の２４１画素〜４８０画素までがＬＥＦＴのホスト画像である。縦割りと横割りの画像
は画像編成部１６によって生成される。
【００３３】
尚、特許文献３の図6のように、教材となる液晶表示装置を向かい合った教師と生徒の
間に置いて、両者とも逆様とならない文字を表示させる液晶表示装置に本発明を適用する
場合は、Ｍ１＝ＨＬかＭ１＝ＬＨのホスト入力画像となる情報をＤＶＤに書き込めば、Ｍ
１＝ＬＬと比較して約半分のデータ容量となり、ＤＶＤの容量を有効に活用することがで
きる。
【００３４】
また、ＯＳＤ付２画面合成部１７がＭ１＝ＬＬがないＡＳＩＣであれば、ホスト２の入
力ラインが不要となって、ピン数が少ない小型のＡＳＩＣとなる。
【００３５】
図５、図６、図７はＯＳＤ付２画面合成部１７の２画面合成の動作を示す図であり、夫
々Ｍ１＝ＬＬ，ＨＬ，ＬＨのときの処理を示す。図５において、網掛けのサブ画素は左右
方向いずれでも視認されないサブ画素を示す。図５に示す如く、Ｍ１＝ＬＬのときは左右
方向いずれでも視認されないサブ画素を除いて、ホスト１の画像データとホスト２の画像
データを合成する。図５，図６に示す如く、Ｍ１＝ＨＬやＭ１＝ＬＨのときは左右方向い
ずれでも視認されないサブ画素は無い。左右方向から別々の画像を認識するときはこのよ
うな合成の配置にする。
【００３６】
このように、ホストの画像は全画素入力のＭ１＝ＬＬとホスト１のみ使用して不要な画
素がないＭ１＝ＨＬとＭ１＝ＬＨがあり、入力ホスト画像が異なる電子機器に対して汎用
性が優れる。尚、図１の信号Ｓ１，Ｓ２，Ｓ３は表示部１８と同じ８００×４８０画素で
あるので、図８に示す如く、Ｍ１＝ＬＬのときは画像編成部１６を削除することができる
。
【００３７】
図９はホスト１、ホスト２の画像データを左方向から認識できる画面にするか右方向か
ら認識できる画面にするかを示す表である。ここで、左方向から認識できる画面にする配
置を左画面といい、右方向から認識できる画面にする配置を右画面という。
【００３８】
図９、図１０に示す如く、Ｍ１＝ＬＬ、Ｍ２＝ＬＬのときはホスト１の画像を左画面に
表示し、ホスト２の画像を右画面に表示する。Ｍ１＝ＬＬ、Ｍ２＝ＨＬのときはホスト１
の画像を両方の画面に表示する。Ｍ１＝ＬＬ、Ｍ２＝ＬＨのときはホスト２の画像を両方
の画面に表示する。Ｍ１＝ＬＬ、Ｍ２＝ＨＨのときはホスト１の画像を右画面に表示し、
ホスト２の画像を左画面に表示する。
【００３９】
図９、図１１に示す如く、Ｍ１＝ＨＬ、Ｍ２＝ＬＬのときはホスト１の左方の画像を左
画面に表示し、ホスト１の右方の画像を右画面に表示する。Ｍ１＝ＨＬ、Ｍ２＝ＨＬのと
きはホスト１の左方の画像を両方の画面に表示する。Ｍ１＝ＨＬ、Ｍ２＝ＬＨのときはホ
スト１の右方の画像を両方の画面に表示する。Ｍ１＝ＨＬ、Ｍ２＝ＨＨのときはホスト１
の左方の画像を右画面に表示し、ホスト１の右方の画像を左画面に表示する。
【００４０】
図９、図１２に示す如く、Ｍ１＝ＬＨ、Ｍ２＝ＬＬのときはホスト１の下方の画像を左
画面に表示し、ホスト１の上方の画像を右画面に表示する。Ｍ１＝ＬＨ、Ｍ２＝ＨＬのと
きはホスト１の下方の画像を両方の画面に表示する。Ｍ１＝ＬＨ、Ｍ２＝ＬＨのときはホ
スト１の上方の画像を両方の画面に表示する。Ｍ１＝ＬＨ、Ｍ２＝ＨＨのときはホスト１
の下方の画像を右画面に表示し、ホスト１の上方の画像を左画面に表示する。
【００４１】
制御信号M2による左右の画面切り替えの例をナビゲーション装置で説明する。M2=LLの
ときは通常の運転状態であり、助手席者がDVDの表示を見て、運転者がナビゲーションの
表示を見る。車両の走行中に運転者がナビゲーションの操作を助手席者に依頼する場合は
、助手席者は画面切り替えの操作をしてM２=LHにすると助手席者もナビゲーションの表示
となって、ナビゲーションの操作をすることができる。車両が停止している駐車場ではM2
=HLかM2=HHにして運転者もDVDの表示を見ることができる。運転席が左の外車の場合は、M
2=HHにして左右の表示を入れ替える。
【００４２】
このように、ホストへの入力を変更することなく、制御信号Ｍ２に基づいてホストの画
像を表示させる画面を選択することができるので、ホストの画像を表示する画面が異なる
電子機器への汎用性が向上する。
【００４３】
次にＯＳＤ画像について説明する。
【００４４】
図１３はＯＳＤ画像の入力を示す表である。Ｍ３＝ＬＬのときはＯＳＤ画像の入力が無
い。Ｍ１＝ＬＬ、Ｍ３＝ＨＬのときＯＳＤ画像はホスト１より入力され（図１４参照）、
Ｍ１＝ＨＬ、Ｍ３＝ＨＬのときＯＳＤ画像はホスト１の左方より入力され（図１５参照）
、Ｍ１＝ＬＨ、Ｍ３＝ＨＬのときＯＳＤ画像はホスト１の下方より入力される（図１６参
照）。Ｍ１＝ＬＬ、Ｍ３＝ＬＨのときＯＳＤ画像はホスト２より入力され（図１７参照）
、Ｍ１＝ＨＬ、Ｍ３＝ＬＨのときＯＳＤ画像はホスト１の右方より入力され（図１８参照
）、Ｍ１＝ＬＨ、Ｍ３＝ＬＨのときＯＳＤ画像はホスト１の上方より入力される（図１９
参照）。Ｍ３＝ＨＨ、Ｍ４＝ＬのときＯＳＤラインより１種類のＯＳＤ画像が入力され（
図２０、図２１、図２２参照）、Ｍ３＝ＨＨ、Ｍ４＝ＨのときＯＳＤラインより縦割りか
横割で２種類のＯＳＤ画像が入力される（図２３、図２４、図２５参照）。Ｍ４＝ＬはＯ
ＳＤ画像が片方の画面用のみであることを示し、Ｍ４＝ＨはＯＳＤ画像が左画面用と右画
面用の２種類であることを示す。同期信号に基づく時間でこの２種類を判別する。
【００４５】
このように、ＯＳＤの入力はＯＳＤラインのみでなく、ホスト１ラインやホスト２ライ
ンでもよい。これによりホスト画像からＯＳＤ画像を取り出して、他のホスト画像に重畳
することができる。この場合のＯＳＤイネーブル信号はホスト側のラインから入力される
。例えば、ナビゲーションの画像中にDVDでも共通使用できるタッチキーがあるときは、
これをDVD画面にも表示することができる。
【００４６】
また、ＯＳＤラインの場合は２種類でもよい。２種類の場合は、図２に示す如く、共通
動作のタッチキー（ＭＯＤＥ、左／右、Ｖｏｌ＋、Ｖｏｌ−）と共通動作でないタッチキ
ー（拡大、縮小、ＭＥＮＵ、ＣＨ＋、ＣＨ−、ＭＥＮＵ）を表示させることができる。こ
れらを制御信号Ｍ３とＭ４で選択でき、ＯＳＤ画像の入力方法が異なる電子機器への汎用
性が向上する。
【００４７】
図２６はＯＳＤ画像の表示先を示す表である。まず、Ｍ４＝Ｌの場合、即ちＯＳＤ画像
が一方の画面用のみの場合について説明する。Ｍ５＝ＬＬのとき左右両方の画面にＯＳＤ
画像を表示する（図１４〜図２２のａ参照）。Ｍ５＝ＨＬのとき左画面にＯＳＤ画像を表
示し、右画面でのＯＳＤイネーブル信号のＨは無視される（図１４〜図２２のｂ参照）。
ＯＳＤ画像の表示はＯＳＤイネーブル信号がＨのときのＯＳＤ画像を画面の表示画像とし
て取り込むことにより行われる。ＯＳＤイネーブル信号のＨを無視するとは、ホスト画像
のままを表示するということであり、もともとホスト画像にＯＳＤ画像（タッチキー画像
）が重畳されている場合はこれを表示することになる。Ｍ５＝ＬＨのとき左画面でのＯＳ
Ｄイネーブル信号のＨは無視され、右画面にＯＳＤ画像を表示する（図１４〜図２２のｃ
参照）。Ｍ５＝ＨＨのとき左右両方の画面共ＯＳＤイネーブル信号のＨは無視される（図
１４〜図２２のｄ参照）。
【００４８】
このように、２画面合成を処理するＯＳＤ付き２画面合成部１７において、ＯＳＤイネ
ーブル信号がＨのときのＯＳＤ画像を重畳することにより、ＯＳＤ画像を視方向別の画面
に重畳することができる。また、制御信号により左右の表示画面の選択ができるために汎
用性が向上する。
【００４９】
次に、Ｍ４＝Ｈの場合、即ちＯＳＤ画像がＯＳＤ（Ｌ）とＯＳＤ（Ｒ）の両方の画面用
の場合について説明する。Ｍ２＝ＬＬ、Ｍ５＝ＬＬの場合ＯＳＤ（Ｌ）を左画面に表示し
、ＯＳＤ（Ｒ）を右画面に表示する（図２３〜図２５のａ参照）。Ｍ２＝ＬＬ、Ｍ５＝Ｈ
Ｌの場合ＯＳＤ（Ｌ）を左右両方の画面に表示する（図２３〜図２５のｂ参照）。Ｍ２＝
ＬＬ、Ｍ５＝ＬＨの場合ＯＳＤ（Ｒ）を左右両方の画面に表示する（図２３〜図２５のｃ
参照）。Ｍ２＝ＬＬ、Ｍ５＝ＨＨの場合ＯＳＤ（Ｒ）を左画面に表示し、ＯＳＤ（Ｌ）を
右画面に表示する（図２３〜図２５のｄ参照）。
【００５０】
Ｍ２＝ＨＬのときＭ５に関わらずＯＳＤ（Ｌ）を左右両方の画面に表示する。Ｍ２＝Ｌ
ＨのときＭ５に関わらずＯＳＤ（Ｒ）を左右両方の画面に表示する。
【００５１】
Ｍ２＝ＨＨ、Ｍ５＝ＬＬの場合ＯＳＤ（Ｒ）を左画面に表示し、ＯＳＤ（Ｌ）を右画面
に表示する。Ｍ２＝ＨＨ、Ｍ５＝ＨＬの場合ＯＳＤ（Ｒ）を左右両方の画面に表示する。
Ｍ２＝ＨＨ、Ｍ５＝ＬＨの場合ＯＳＤ（Ｌ）を左右両方の画面に表示する。Ｍ２＝ＨＨ、
Ｍ５＝ＨＨの場合ＯＳＤ（Ｌ）を左画面に表示し、ＯＳＤ（Ｒ）を右画面に表示する。
【００５２】
即ち、ホスト画像を左右画面とも左用にすれば自動的にＯＳＤ画像も左用になり、ホス
ト画像を左右画面とも右用にすれば自動的にＯＳＤ画像も右用になり、ホスト画像の表示
画面を左右入れ替えれば自動的にＯＳＤ画像の表示画面も入れ替わる。
【００５３】
これにより、使用者はホスト画像の変更操作をしたときにＯＳＤ画像の変更操作をしな
くてもよい。
【００５４】
尚、上述の実施例の視方向に対する個別の画像の数は２つであったが、本発明は特許文
献１の如く、３つ以上の視方向に適用することができる。
【００５５】
また、上述のＯＳＤ付２画面合成部はナビゲーション装置に使用されたが、特許文献３
の如く、異なる視方向に関連する他の電子機器に使用することができる。
【図面の簡単な説明】
【００５６】
【図１】本発明の一実施形態に係るナビゲーション装置の要部を示すブロック図である。
【図２】表示の例を示す図である。
【図３】表示部のサブ画素の配列を示す図である。
【図４】制御信号Ｍ１に対するホスト１，２に入力される画像の形態を示す図である。
【図５】制御信号Ｍ１におけるホスト画像の合成を示す図である。
【図６】制御信号Ｍ１におけるホスト画像の合成を示す図である。
【図７】制御信号Ｍ１におけるホスト画像の合成を示す図である。
【図８】制御信号Ｍ１におけるナビゲーション装置の要部を示すブロック図である。
【図９】制御信号Ｍ２に対する画面表示を示す表である。
【図１０】通常のホスト画像の画面表示を示す図である。
【図１１】縦割りの画面表示を示す図である。
【図１２】横割りの画面表示を示す図である。
【図１３】制御信号Ｍ３、Ｍ４に対するＯＳＤ画像の入力を示す表である。
【図１４】ＯＳＤ画像がホスト１に入力されるときの画面表示を示す図である。
【図１５】ＯＳＤ画像がホスト１に入力されるときの画面表示を示す図である。
【図１６】ＯＳＤ画像がホスト１に入力されるときの画面表示を示す図である。
【図１７】ＯＳＤ画像がホスト２に入力されるときの画面表示を示す図である。
【図１８】ＯＳＤ画像がホスト２に入力されるときの画面表示を示す図である。
【図１９】ＯＳＤ画像がホスト２に入力されるときの画面表示を示す図である。
【図２０】１種類のＯＳＤ画像がＯＳＤラインに入力されるときの画面表示を示す図である。
【図２１】１種類のＯＳＤ画像がＯＳＤラインに入力されるときの画面表示を示す図である。
【図２２】１種類のＯＳＤ画像がＯＳＤラインに入力されるときの画面表示を示す図である。
【図２３】２種類のＯＳＤ画像がＯＳＤラインに入力されるときの画面表示を示す図である。
【図２４】２種類のＯＳＤ画像がＯＳＤラインに入力されるときの画面表示を示す図である。
【図２５】２種類のＯＳＤ画像がＯＳＤラインに入力されるときの画面表示を示す図である。
【図２６】制御信号Ｍ５に対するＯＳＤ画像の画面表示を示す図である。
【符号の説明】
【００５７】
１      ナビゲーション装置
１１    ナビゲーション部
１２    ＴＶ部
１３    ＤＶＤビデオ再生部
１４    ＯＳＤ専用画像部
１５    レンズシート（Ｙ方向）
１６    画像編成部
１７    ＯＳＤ付２画面合成部
１７１  ２画面合成処理部
１７２  ＯＳＤ処理部
１８    表示部
２０    制御回路
【図１】
2008181035.tif 000003
【図２】
2008181035.tif 000004
【図３】
2008181035.tif 000005
【図４】
2008181035.tif 000006
【図５】
2008181035.tif 000007
【図６】
2008181035.tif 000008
【図７】
2008181035.tif 000009
【図８】
2008181035.tif 000010
【図９】
2008181035.tif 000011
【図１０】
2008181035.tif 000012
【図１１】
2008181035.tif 000013
【図１２】
2008181035.tif 000014
【図１３】
2008181035.tif 000015
【図１４】
2008181035.tif 000016
【図１５】
2008181035.tif 000017
【図１６】
2008181035.tif 000018
【図１７】
2008181035.tif 000019
【図１８】
2008181035.tif 000020
【図１９】
2008181035.tif 000021
【図２０】
2008181035.tif 000022
【図２１】
2008181035.tif 000023
【図２２】
2008181035.tif 000024
【図２３】
2008181035.tif 000025
【図２４】
2008181035.tif 000026
【図２５】
2008181035.tif 000027
【図２６】
2008181035.tif 000028